(57)【要約】      （修正有）【課題】はさみの刃の開閉操作が未熟又は容易にできない使用者により選択された自身になじみ、使用勝手のよいはさみに容易に取り付けて、開閉操作の補助を実現することができるはさみ開き操作補助具の提供。【解決手段】もち手（ハンドル）５１の間に挟まれ、はさみ５０の開き操作を補助し、材質に例えばエラストマーが好適であるはさみ開き操作補助具１において、略円形状の第１の部材４、第２の部材６は、厚み方向にテーパ形状を有し、第１の部材４、第２の部材６には、略楕円形状を有している弾性部材１０が挟まれている。はさみ開き操作補助具１は、はさみ５０が閉じた際に、弾性部材１０によって反発力を生じさせる。【選択図】図１
0003130543.tif 000002
【実用新案登録請求の範囲】
【請求項１】
はさみのハンドル間に挟まれて、はさみの開き操作を補助するはさみ開き操作補助具であって、
前記はさみが開閉する際に、前記ハンドル間に挟まれる楕円形状の弾性部材と、
前記ハンドルが開閉する方向に直交する方向において前記弾性部材を挟む挟み込み部材と
を具備し、
前記挟み込み部材は、ガイド部材として前記ハンドルをガイドし、前記弾性部材が前記ハンドルに挟まれた際に、前記弾性部材から生じる弾性力によって前記はさみの開き操作を補助することを特徴とするはさみ開き操作補助具。
【請求項２】
前記弾性部材と前記挟み込み部材には、厚み方向において空気の通気孔である開口部が貫通していることを特徴とする請求項１に記載のはさみ開き操作補助具。
【請求項３】
前記弾性部材は、エラストマーであることを特徴とする請求項１に記載のはさみ開き操作補助具。
【請求項４】
前記はさみ開き操作補助具は、前記ハンドルに着脱自在であることを特徴とする請求項１に記載のはさみ開き操作補助具。
【請求項５】
前記弾性部材が前記ハンドル間に挟まれる際に、前記弾性部材の挟み込まれる向きを調整することで前記はさみの開き角度を調整することを特徴とする請求項１に記載のはさみ開き操作補助具。
【請求項６】
前記挟み込み部材は、略真円形状の第１の部材と第２の部材を有していることを特徴とする請求項１に記載のはさみ開き操作補助具。
【請求項７】
前記第１の部材と前記第２の部材は、テーパ形状を有していることを特徴とする請求項６に記載のはさみ開き操作補助具。
【請求項８】
前記第１の部材と前記第２の部材は、前記ハンドルが前記弾性部材を挟み込む際のガイドとなることを特徴とする請求項７に記載のはさみ開き操作補助具。
【請求項９】
前記第１の部材と前記第２の部材の半径は、前記前記弾性部材の長軸半径よりも長いことを特徴とする請求項６に記載のはさみ開き操作補助具。
【考案の詳細な説明】
【技術分野】
【０００１】
本考案は、はさみを開く際に、はさみの開き操作を補助させることができるはさみ開き操作補助具に関する。
【背景技術】
【０００２】
一般に、幼児などの年少者が利用するはさみは、手の大きさに合わせて小型で且つ軽量に作製されている。年少者であっても、紙を切る操作においては、指をはさみのもち手の穴に通し、両方の刃を拡げて、紙を挟み、刃を閉じる動作は同じである。
【０００３】
年少者は、まだ指使いが十分ではなく、そのはさみの開閉がぎこちない動作となっている。つまり、年少者は、指使いや握力が十分ではなく、握力の入れ方に加減ができないため、はさみの刃が開いた状態から一気に閉じた状態になってしまう。また、年少者は、はさみを閉じる操作に比べて、開く操作が難しく、自身が意図するように刃の開閉が操作できない。このため、年少者にとっては、はさみの刃の開閉を繰り返し、刃の長さを超えた長さを切ることが難しい操作となっている。また、年少者以外であっても力の弱い者であれば、同様である。
【０００４】
このような問題を解決するものとして、例えば、特許文献１には、はさみに一体的に設けられている補助具が開示されている。この補助具は、何れか一方の握り部分に格納され、引き出して、他方の握り部分に先端部を当接させる構成である。この補助具は、弾性を有する部材からなり、はさみの開閉時にバネとして機能する。はさみの刃は、このバネの弾性力により僅かな力により開くことができる。
【特許文献１】特開平７−１９４８５６号公報
【考案の開示】
【考案が解決しようとする課題】
【０００５】
しかしながら、特許文献１に開示されている補助具は、はさみに一体的に組み込まれているため、使用者は、はさみの刃の形状や握りの大きさなどを選択することができない。特に、年少者は同じ年であっても身体の成長具合に差があるため、手の大きさや握力が異なっている場合が多い。従って、補助具が設けられたはさみが、使用者の手になじむものであるとは限らない。
【０００６】
そこで本考案は、はさみの刃の開閉操作が未熟又は容易にできない使用者により選択された自身になじみ、使い勝手のよいはさみに容易に取り付けて、開閉操作の補助を実現するはさみ開き操作補助具を提供することを目的とする。
【課題を解決するための手段】
【０００７】
本考案は上記目的を達成するために、はさみのハンドル間に挟まれて、はさみの開き操作を補助するはさみ開き操作補助具であって、はさみが開閉する際に、ハンドル間に挟まれる楕円形状の弾性部材と、ハンドルが開閉する方向に直交する方向において弾性部材を挟む挟み込み部材とを具備し、挟み込み部材は、ガイド部材としてハンドルをガイドし、弾性部材がハンドルに挟まれた際に、弾性部材から生じる弾性力によってはさみの開き操作を補助することを特徴とするはさみ開き操作補助具を提供する。
【考案の効果】
【０００８】
本考案によれば、はさみの刃の開閉操作が未熟又は容易にできない使用者により選択された自身になじみ、使用勝手のよいはさみに容易に取り付けて、開閉操作の補助を実現するはさみ開き操作補助具を提供することができる。
【考案を実施するための最良の形態】
【０００９】
以下、図面を参照して本考案の実施形態について詳細に説明する。  
図１は、本考案にかかわるはさみ開き操作補助具をはさみに挟んだ際の概略斜視図である。図２は、はさみ開き操作補助具の斜視図である。図３は、はさみ開き操作補助具の側面図である。図４は、はさみ開き操作補助具の上面図である。
【００１０】
図１に示すように、はさみ５０におけるもち手（ハンドル）５１の間には、はさみ５０の開き操作を補助するはさみ開き操作補助具１が挟まれている。はさみ５０の開き操作とは、例えば使用者が指３１を指穴５２に通してはさみ５０を握った際に、刃５３を開く操作を指す。このはさみ開き操作補助具１の材質には、ＴＰＲ（Ｔｈｅｒｍｏｐｌａｓｔｉｃ  Ｒｕｂｂｅｒ:熱可塑性ゴム（エラストマー））が好適である。なお材質は、これに限定する必要はなく、例えばゴム等の弾力性を有する材質であればよい。なお図１において、ハンドル５１の中間部５４にて挟みこんだ弾性部材１０を点線にて示している。また図１において後述する面４ａから突出する弾性部材１０は、省略している。
【００１１】
はさみ開き操作補助具１には、はさみ５０が開閉する際に、ハンドル５１間に挟まれる弾性部材１０と、ハンドル５１が開閉する方向に対して直交する方向において弾性部材１０を挟み込む挟み込み部材である第１の部材４と第２の部材６が設けられている。
【００１２】
第１の部材４は、第２の部材６に対向している。第１の部材４と第２の部材６の間には、空間８が設けられている。第１の部材４と第２の部材６は、厚み方向においてテーパ形状を有している。そのため、第１の部材４において、略真円形状の面４ａの半径は、略真円形状の面４ｂの半径よりも長い。また面４ａの面積は、面４ｂの面積よりも広い。同様に第２の部材６において、略真円形状の面６ａの半径は、略真円形状の面６ｂの半径よりも長い。また面６ａの面積は、面６ｂの面積よりも広い。面４ｂと面６ｂは、対向している。第１の部材４、第２の部材６は、互いが略同一形状である。また第１の部材４は、厚み方向においてテーパ形状であるため傾斜４ｃを有している。同様に第２の部材６は、厚み方向においてテーパ形状であるため傾斜６ｃを有している。
【００１３】
弾性部材１０は、ハンドル５１が開閉する方向に対して直交する方向（厚み方向）において第１の部材４、第２の部材６に挟まれている。弾性部材１０は、例えばエラストマーが好適である。また第１の部材４、第２の部材６には、厚み方向において弾性部材１０が貫通している。弾性部材１０は、図２に示すように面４ａ，６ａから微小に突出している。弾性部材１０は、略楕円形状を有している。第１の部材４、第２の部材６、弾性部材１０の厚み方向における中心軸は一致する。弾性部材１０の中心部には、開口部１２が設けられている。この開口部１２は、弾性部材１０、第１の部材４、第２の部材６の厚み方向に貫通しており、空気が通り抜ける通気孔である。
【００１４】
面４ｂ、面６ｂの半径は、弾性部材１０における長軸半径Ａよりも長い。この長軸半径Ａの長さは、任意の長さを有している。そのため第１の部材４、第２の部材６、弾性部材１０は、厚み方向において、溝形状になる。よってハンドル５１がはさみ開き操作補助具１を挟む際に、弾性部材１０、面４ｂ、面６ｂには、ハンドル５１が接触し、嵌め込まれる。このはさみ開き操作補助具１は、ハンドル５１に対して着脱自在である。
【００１５】
次に本実施形態に関する動作方法について説明する。  
図１に示すようにはさみ開き操作補助具１は、刃５３が開いているはさみ５０において、ハンドル５１の間に挟まれる。詳細には、使用者である例えば幼児が、指穴５２に指３１を通して、刃５３を閉じることで、例えば紙などを切る。その際、ハンドル５１が図１に示すよう弾性部材１０、面４ｂ、面６ｂに接触し、弾性部材１０、面４ｂ、面６ｂによって形成される溝部に嵌め込まれる。その際、弾性部材１０は撓む。また弾性部材１０には、撓んだ際に反発力（弾性力）が生じる。幼児が刃５３を開く際に、ハンドル５１には、幼児によって刃５３を開く力に、この反発力が加わる。そのため幼児は、容易に刃５３を開くことができる。
【００１６】
上述したように、第１の部材４、第２の部材６は、厚み方向において傾斜４ｃ，６ｃを有するテーパ形状である。そのため第１の部材４、第２の部材６は、ハンドル５１が弾性部材１０を挟み込む際にガイドとなる。よって幼児は、はさみ開き操作補助具１をハンドル５１の間に容易に挟み込ませることができる。また幼児が刃５３を開閉させる際に、面４ｂ、面６ｂの半径は、弾性部材１０の長軸半径Ａよりも長い。そのためはさみ開き操作補助具１は、ハンドル５１から外れることを防止している。
【００１７】
このように本実施形態は、はさみ５０の刃の開閉操作が未熟又は容易にできない幼児といった使用者によって選択された自身になじみ、使用勝手のよいはさみに容易に取り付けて、開閉操作の補助をする。使用者は、はさみ５０を閉じた際に、弾性部材１０によって生じた反発力を得ることができる。これにより使用者は、容易にはさみ５０を開くことができ、紙などを切断する際に手３０や指３１に掛かる負担を抑えることができる。このように本実施形態は、はさみ開き操作補助具１をどのようなはさみ５０のハンドル５１に挟ませても開閉操作の補助をすることができる。
【００１８】
また本実施形態は、楕円形状の弾性部材１０において長軸半径Ａをハンドル５１の長辺に略平行にしてはさみ開き操作補助具１をハンドル５１の間に挟む場合、弱い反発力を生じさせる。また本実施形態は、楕円形状の弾性部材１０において任意の長さを有する短軸半径Ｂをハンドル５１の長辺に略平行にしてはさみ開き操作補助具１をハンドル５１の間に挟む場合、強い反発力を生じさせる。この場合、はさみ５０の開き角度は、楕円形状の弾性部材１０において長軸半径Ａをハンドル５１の長辺に略平行にしてはさみ開き操作補助具１をハンドル５１の間に挟む場合よりも大きい。また弾性部材１０は同じ位置（例えば中間部５４）にてハンドル５１に挟まれる際に、挟み込まれる向きを調整する（例えば、長軸半径Ａがハンドル５１の長辺に略平行になっている状態から短軸半径Ｂがハンドル５１の長辺に略平行になっている状態に調整する）ことではさみ５０の開き角度を調整することができる。このように本実施形態は、はさみ５０の開き角度や、使用者の握力などの条件に合わせてハンドル５１におけるはさみ開き操作補助具１の取り付ける位置（向き）や弾性部材１０の軸長を変更可能である。そのため本実施形態は、使用者の熟達にあわせて、幅広い用途に対応することができる。
【００１９】
また上述したように第１の部材４と第２の部材６は、厚み方向においてテーパ形状であるため、本実施形態は、はさみ開き操作補助具１を容易にハンドル５１に挟ませることができ、また外れることを防止することができる。
【００２０】
またはさみ開き操作補助具１は、ハンドル５１に着脱自在であるため、使用者が必要な際に挟めばよい。なお図示しない間隔調整機構を用いて例えば第１の部材４と第２の部材６の間隔を調整することで、本実施形態は、さまざまな厚みを有するハンドル５１に挟まれることができる。また間隔が調整された際に、はさみ開き操作補助具１をハンドル５１により強固に固定させることができる。これによりまた使用者がはさみ５０を使用している際に、本実施形態は、はさみ５０からはさみ開き操作補助具１が外れてしまうことを防止することができる。なお弾性部材１０と第１の部材４と第２の部材６は、それぞれ独立した構成部材として組み合わせても良いし、本実施形態と同様の効果を有するのであれば、一体成形してもよい。
【００２１】
なお本実施形態において、第１の部材４と第２の部材６は略真円形状であるがこの形状に限定する必要はない。例えば、正方形形状、矩形形状、三角形形状でもよい。このように本実施形態は、第１の部材４と第２の部材６に角を設けることで、はさみ５０から外したはさみ開き操作補助具１が転がってしまうことを防止することができる。また開口部１２の大きさを変えることで、様々な反発力を有するはさみ開き操作補助具を提供することが可能である。
【００２２】
また本実施形態は、使用者の一例に幼児を挙げたが、これに限定する必要はなく、例えば、高齢者や身障者がはさみ５０を使用する際に用いても良い。
【００２３】
また本実施形態は、はさみ開き操作補助具１をハンドル５１の間に挟みこんだが、これに限定する必要はなく、ハンドル５１の一方に例えばベルトなどの固定具を用いて取り外し可能に設置しても良い。
【００２４】
また本実施形態は、はさみ開き操作補助具１をハンドル５１の中間部５４にて挟みこんだが、ハンドル５１における挟み位置は、限定されない。  
その際、はさみ開き操作補助具１が（挟む向きを変えずに）ハンドル５１間に挟み込まれる位置によって、本実施形態ははさみ５０の刃５３に開く角度を調整でき、手３０や指３１にかかる負担を抑えることができる。
【００２５】
また本実施形態は、例えば幼児がはさみ開き操作補助具１を口にくわえることがあっても、開口部１２によって空気を通す通気孔を確保することができる。
【００２６】
なお本実施形態は、はさみ５０を開く際の補助具としたが、刃５３の辺５６にはさみ開き操作補助具１００を取り付けることによって、はさみ開き操作補助具１００を紙などを切断する際の目印（指標）とすることができる。これにより幼児などが紙にどこまではさみ５０を入れてよいかを容易に理解させることができる。なお本実施形態では、はさみ開き操作補助具１００の取り付けに例えば磁石を用いることが好適である。もちろんこれに限定する必要はない。また図５には、はさみ開き操作補助具１００の形状をペンギンのような形状として示しているが、これに限定される必要はなく、例えば象や車といった動物や乗り物等であってもかまわない。
【図面の簡単な説明】
【００２７】
【図１】図１は、本考案にかかわるはさみ開き操作補助具をはさみに挟んだ際の概略斜視図である。
【図２】図２は、はさみ開き操作補助具の斜視図である。
【図３】図３は、はさみ開き操作補助具の側面図である。
【図４】図４は、はさみ開き操作補助具の上面図である。
【図５】図５は、はさみ開き操作補助具をはさみの刃の上辺に設けた際の概略斜視図である。
【符号の説明】
【００２８】
１、１００…はさみ開き操作補助具、４…第１の部材、４ａ…面、４ｂ…面、４ｃ…傾斜、６…第２の部材、６ａ…面、６ｂ…面、６ｃ…傾斜、８…空間、１０…弾性部材、１２…開口部、３０…手、３１…指、５０…はさみ、５１…ハンドル、５２…指穴、５３…刃、５４…中間部、５５…支点、５６…辺。
【図１】
0003130543.tif 000003
【図２】
0003130543.tif 000004
【図３】
0003130543.tif 000005
【図４】
0003130543.tif 000006
【図５】
0003130543.tif 000007